(57)【要約】【課題】袖パネルの電気工事や点検を行う際に、誤って壁や袖パネルを傷付けたり変形させたりすることが無く、かつ、袖パネルが建物に正規に装備される作用姿勢と、機能設備に関する各種工事を行うべく袖パネルの背面が露出されるメンテナンス姿勢との切換作業も簡単便利に行えるようにする。【解決手段】袖パネル付ドアＡにおいて、建物の固定部１に取付けられた枠体１と、枠体１に開閉自在に支承される玄関ドア２と、玄関灯８やインターホン１０が装備され、かつ、玄関ドア２に隣接する状態で枠体１に支持されるパネル材４とから成り、パネル材４をその左端部に設けた上下向きのパネル支点Ｑ周りで揺動可能に枠体１に支承して、パネル材４を閉じ状態にある玄関ドア２と平行な姿勢とすべく閉じ揺動された作用姿勢と、パネル材４の背面を露呈すべく廊下側に開き揺動されたメンテナンス姿勢とに切換自在に構成する。【選択図】図１  
2006022584.tif 000002
【特許請求の範囲】
【請求項１】
ドア近傍の位置において建物の固定部に外装配備自在に構成され、かつ、機能設備が装備されるパネル材から成る袖パネルであって、
前記パネル材をその側方端部に設けた支点周りで揺動可能に支承して、前記パネル材が前記固定部に外装配備されるべく閉じ揺動された作用姿勢と、前記パネル材の背面が露呈されるべく開き揺動されたメンテナンス姿勢とに切換自在に構成されている袖パネル。
【請求項２】
前記パネル材は、建物の固定部に固定される枠体に対して揺動可能に支承されるとともに、前記支点が、前記パネル材の左右一側端部における上下向きのものに設定されている請求項１に記載の袖パネル。
【請求項３】
前記パネル材を前記作用姿勢に係止維持するロック機構が装備されている請求項１又は２に記載の袖パネル。
【請求項４】
建物の固定部に取付自在な枠体と、この枠体に開閉自在に支承されるドアと、機能設備が装備され、かつ、前記ドアに隣接する状態で前記枠体に支持されるパネル材とから成り、
前記パネル材をその側方端部に設けた支点周りで揺動可能に前記枠体に支承して、前記パネル材を、閉じ状態にある前記ドアと平行な姿勢とすべく閉じ揺動された作用姿勢と、前記パネル材の背面を露呈すべく開き揺動されたメンテナンス姿勢とに切換自在に構成されている袖パネル付ドア。
【請求項５】
前記支点が、前記パネル材の左右一側端部における上下向きのものに設定されている請求項４に記載の袖パネル付ドア。
【請求項６】
前記パネル材を前記作用姿勢に係止維持するロック機構が装備されている請求項４又は５に記載の袖パネル付ドア。
【請求項７】
前記支点が、前記パネル材の左右一側端部のうちの前記ドアから遠い側の端部に設定されている請求項６に記載の袖パネル付ドア。
【請求項８】
前記ロック機構は、前記枠体における前記ドアと前記パネル材との間に配置される中間縦枠部と、前記パネル材とを相対固定するボルトを設けて構成され、前記ボルトは、中空状の断面形状を有する前記中間縦枠部におけるパネル材側の側壁部分と前記パネル材とに亘る状態で螺装されるとともに、前記ドアを閉じ姿勢に維持するドアロック装置における出退シリンダ挿入用として前記中間縦枠部におけるドア側の側壁部分に形成された開口部を通して前記中間縦枠部内に挿入自在に構成されている請求項７に記載の袖パネル付ドア。
【請求項９】
前記機能設備が電気設備である請求項１〜３の何れか一項に記載の袖パネル又は請求項４〜８の何れか一項に記載の袖パネル付ドア。
【発明の詳細な説明】
【技術分野】
【０００１】
本発明は、マンション等の玄関ドアに隣接させて配置される袖パネル、並びに袖パネル付ドアに関するものである。
【背景技術】
【０００２】
袖パネルは、インターホン等の電気設備や新聞受けといった機能設備が装備されており、主にマンションや分譲住宅の玄関ドアの横に隣接して配設されるのが一般的であり、例えば特許文献１において開示されている。即ち、図６に示すように、従来の袖パネル４３は、玄関ドア４２の横に若干の距離を空けて建物の壁Ｗに着脱可能に外装配備されたやや縦長形状のものであり、玄関灯４８、ルームナンバー板４５、ネーム板４６、インターホン４７、新聞や郵便物を受ける外部ポスト４９等の各種機能設備Ｅをパネル材４４に装備することで構成されている。
【０００３】
ところで、袖パネルの取付け施工業者と、袖パネルの電気設備に関する工事業者とは異なるのが通常であり、その作業状況は次のようである。即ち、袖パネルが専門の施工業者によってドア横といった建物へ取付け設定された後に、電気工事業者が来て、取付けられている袖パネルを一旦壁から外し、電気設備を建物側の配線と結線する等の所定の電気工事を行い、その後その電気工事が完了された状態の袖パネルを壁に再取付けする、というものである。つまり、建物の建設期間においては、施工工程上から袖パネルが着脱自在な状態であることが必要である。また、建物の建設完了後においても、修理、部品交換等の電気設備のメンテナンスが行えるようにしておく必要もあるため、袖パネルは着脱自在に建物に装備させなければならない。
【０００４】
そのため、従来では、特許文献２に開示されるように、ガイドレール等の上下の係合手段を壁側に装備しておき、袖パネルを一旦上に持上げてから下げるような移動処理を行うことで嵌め込む「後吊り式」と呼ばれる構造により、袖パネルを取外し可能に壁に取付ける構成が採られている。
【特許文献１】特開２００１−７７８９５号公報
【特許文献２】特開平１１−５０７５０号公報
【発明の開示】
【発明が解決しようとする課題】
【０００５】
しかしながら、着脱自在な袖パネルでは次のような問題が指摘されてきた。つまり、袖パネルの電気工事をするには、壁から取り外した袖パネルをその背面を作業者に向けた状態で壁に立て掛けるか、或いは床や地面に横倒しに寝かせた姿勢にして作業を行うことになるので、その際に引きずって壁や袖パネル自身に傷を付けてしまうとか、立て掛けてある袖パネルを誤って倒して変形させたり、それによって結線した配線が引き千切れるといったおそれが高いのである。また、外された袖パネルを傷付けないよう、床等との間に介装するクッション材を用意しなければならないという面倒さもある。そのため、袖パネルの電気工事には必要以上の慎重さが要求される煩わしさがあるとともに、結線された状態の袖パネルを持上げて嵌め込む着脱操作が行い難い面もあり、袖パネルの取付け構造にはさらなる改善の余地が残されていた。尚、上記の不都合は電気設備の設置やメンテナンスを行う場合に限られるものではなく、ネーム板や外部ポストの修理、部品交換といった機能設備のメンテナンス等を行う場合も同様に生じる。
【０００６】
このような実情に鑑みることにより、本発明の目的は、袖パネルの電気工事等の機能設備の工事やメンテナンスを行う際に、誤って壁等の外装部分や袖パネル自身を傷付けたり変形させたりするおそれが解消されるとともに、袖パネルが建物に正規に装備される作用姿勢と、機能設備に関する各種工事を行うべく袖パネルの背面が露出されるメンテナンス姿勢との切換作業も簡単便利に行えるよう、袖パネルの取付構造を工夫する点にある。
【課題を解決するための手段】
【０００７】
請求項１の構成は、ドア２近傍の位置において建物の固定部１に外装配備自在に構成され、かつ、機能設備８，１０が装備されるパネル材４から成る袖パネルにおいて、前記パネル材４をその側方端部に設けた支点Ｑ周りで揺動可能に支承して、前記パネル材４が前記固定部１に外装配備されるべく閉じ揺動された作用姿勢と、前記パネル材４の背面４Ｈが露呈されるべく開き揺動されたメンテナンス姿勢とに切換自在に構成されていることを特徴とする。
【０００８】
請求項２の構成は、請求項１に記載の袖パネルにおいて、前記パネル材４は、建物の躯体１７に固定される枠体１に対して揺動可能に支承されるとともに、前記支点Ｑが、前記パネル材４の左右一側端部における上下向きのものに設定されていることを特徴とする。
【０００９】
請求項３の構成は、請求項１又は２に記載の袖パネルにおいて、前記パネル材４を前記作用姿勢に係止維持するロック機構３３が装備されていることを特徴とする。
【００１０】
請求項４の構成は、袖パネル付ドアにおいて、建物の固定部１７に取付自在な枠体１と、この枠体１に開閉自在に支承されるドア２と、機能設備８，１０が装備され、かつ、前記ドア２に隣接する状態で前記枠体１に支持されるパネル材４とから成り、
前記パネル材４をその側方端部に設けた支点Ｑ周りで揺動可能に前記枠体１に支承して、前記パネル材４を、閉じ状態にある前記ドア２と平行な姿勢とすべく閉じ揺動された作用姿勢と、前記パネル材４の背面４Ｈを露呈すべく開き揺動されたメンテナンス姿勢とに切換自在に構成されていることを特徴とする。
【００１１】
請求項５の構成は、請求項４に記載の袖パネル付ドアにおいて、前記支点Ｑが、前記パネル材４の左右一側端部における上下向きのものに設定されていることを特徴とする。
【００１２】
請求項６の構成は、請求項４又は５に記載の袖パネル付ドアにおいて、前記パネル材４を前記作用姿勢に係止維持するロック機構３３が装備されていることを特徴とする。
【００１３】
請求項７の構成は、請求項６に記載の袖パネル付ドアにおいて、前記支点Ｑが、前記パネル材４の左右一側端部のうちの前記ドア２から遠い側の端部に設定されていることを特徴とする。
【００１４】
請求項８の構成は、請求項７に記載の袖パネル付ドアにおいて、前記ロック機構３３は、前記枠体１における前記ドア２と前記パネル材４との間に配置される中間縦枠部１６と、前記パネル材４とを相対固定するボルト３４を設けて構成され、前記ボルト３４は、中空状の断面形状を有する前記中間縦枠部１６におけるパネル材側の側壁部分１６ｄと前記パネル材４とに亘る状態で螺装されるとともに、前記ドア２を閉じ姿勢に維持するドアロック装置５における出退シリンダ５ｓ挿入用として前記中間縦枠部１６におけるドア側の側壁部分１６ｂに形成された開口部２２を通して前記中間縦枠部１６内に挿入自在に構成されていることを特徴とする。
【００１５】
請求項９の構成は、請求項１〜３の何れか一項に記載の袖パネル又は請求項４〜８の何れか一項に記載の袖パネル付ドアにおいて、前記機能設備Ｅが電気設備８，１０であることを特徴とする。
【発明の効果】
【００１６】
請求項１や４の構成によれば、袖パネルを揺動開閉自在に建物の固定部に支承する構造としたので、例えば電気工事やメンテナンスを行うべく袖パネルの背面を露出させるには、パネル材を開き揺動してメンテナンス姿勢にするだけで良く、誤って建物外壁や袖パネル自身を傷付けたり、袖パネルを倒して変形させるといった不都合のおそれが無いとともに、袖パネルを支える必要も無くなる。その結果、良好にドア近傍に外装配備される状態としながらも、パネル材の背面を露呈させての電気工事等の機能設備に関する諸作業が容易、便利で快適に行えるよう改善された袖パネル（請求項１）、又は袖パネル付ドア（請求項４）を提供することができる。
【００１７】
この場合、請求項２や５のように、パネル材を横開き構造として建物に固定される枠体に支承すれば、閉じ及び開きの何れの揺動操作も軽く行え、かつ、開き角度の如何に拘わらずに袖パネルを維持可能であるとともに、枠体を含めたモジュール化（ＡＳＳＹ化）が行える利点もある。また、請求項３や６のように、パネル材を作用姿勢に係止維持するロック機構を設ければ、袖パネルを不測の開き揺動なく作用姿勢に良好に維持でき、便利であるとともに信頼性も向上する。
【００１８】
請求項７の構成によれば、袖パネルを開いてメンテナンス姿勢にすれば、パネル背面はドア側に向くことになり、ドア開閉用として必ず存在する空間部分を機能設備に関する作業用空間として確保することができる利点がある。例えば、袖パネルのドア存在側と反対側の直ぐ横に壁が有るような場合では、ドア側に支点で袖パネルを開いても、その開かれた袖パネルと壁との間に作業者が入り込むだけの十分なスペースが取れないが、本請求項７の構成によれば、そのような状況でも十分な作業スペースが得られる。また、作業スペースに関する上述の効果により、ロック機構を、支点と反対側であるドア側部分の袖パネルに設けることが容易であるとともに、支点と反対側に設けることから、開き揺動を阻止するための力が小さくて済み、ピンやボルトといったロック機構の構成部材のコンパクト化も可能になる。
【００１９】
請求項８の構成によれば、ロック機構を、中間縦枠部とパネル材とを相対固定するボルトを設けるだけの構造簡単で廉価なものにできる利点があるとともに、そのボルトを、ドアのロック用として中間縦枠部に元々形成されている開口部を利用して装備させる構造であるから、ボルト挿通用孔といった専用のボルト装着手段が不要になるとともに、ボルトを外から見えないように隠すことができ、コスト面で有利であり、かつ、良好な外観を維持できる利点がある。
【００２０】
請求項９の構成によれば、袖パネルと建物側との結線作業や、定期点検等、比較的頻繁に袖パネルの姿勢切換えが要求される電気設備の工事やメンテナンスが容易で簡単に行え、実用上のメリットが大となる袖パネル、或いは袖パネル付ドアを提供することができる。
【発明を実施するための最良の形態】
【００２１】
以下に、本発明による袖パネル及び袖パネル付ドアの実施形態について、図面を参照しながら説明する。図１は袖パネル付玄関ドアの略正面図、図２は袖パネルの支持構造を示す玄関ドア及び袖パネルの横断面図、図３は袖パネルの揺動支持構造を示す縦断面図、図４はロック機構と受止め機構とを示す拡大の横断面図、図５は受止め機構の構造を示す分解斜視図である。
【実施例１】
【００２２】
図１はマンション用の袖パネル付玄関ドアＡを示している。この袖パネル付玄関ドアＡは、建物の躯体１７に取付自在なドア用の枠体（固定部の一例）１と、枠体１に開閉自在に支承される玄関ドア２と、各種機能設備Ｅが装備され、かつ、玄関ドア２の向って左側に隣接する状態で枠体１に支持されるパネル材４から成る袖パネル３とから構成されている。玄関ドア２は、向って右側の端部に設定される上下向きのドア支点Ｐ周りで揺動開閉自在に枠体１に支承されるとともに、上下二箇所の鍵（ドアロック装置の一例）５と、取っ手（把手）６と、デザイン部７とを有して構成されている。
【００２３】
袖パネル３は、パネル材４をその向って左側の端部に設けた上下向きのパネル支点Ｑ周りで揺動可能に枠体１に支承して成り、パネル材４を閉じ状態にある玄関ドア２と平行な姿勢とすべく閉じ揺動された作用姿勢（図１に実線で示す姿勢）と、パネル材４の背面４Ｈを露呈すべく開き揺動されたメンテナンス姿勢（図１に仮想線で示す姿勢）とに切換自在に構成されている。パネル材４には、上から玄関灯８、ネーム札９、インターホン１０、新聞や郵便物等を収容するための外部ポスト１１等から成る種々の機能設備Ｅが装備されている。
【００２４】
枠体１は、図１、図２に示すように、中空断面形状を有する左右の縦枠材１２，１３、上下の横枠部材１４，１５、中空断面形状を有する中間縦枠材（中間縦枠部）１６等から構成されており、例えば、躯体であり固定部でもある金属製等の強度部材１７にボルト止め固定されている。これら枠材１２〜１６は、例えば下側の横枠部材１５をステンレス材から形成し、その他の枠材１２〜１４，１６はアルミ合金等から形成するが、鋼板材を用いる等、これには限定されない。右縦枠材１３と中間縦枠材１６は、これらの間に通過用空間Ｓを形成するとともに、ゴムによるシール材１８，１９を支持する部分にも相当する前後方向に若干の幅を有した内壁面１３ａ，１６ａが形成されている。
【００２５】
玄関ドア２は、図１、図２に示すように、上下の横枠材１４，１５夫々との間に亘る状態の支軸２０を介してドア支点Ｐを中心に揺動開閉自在に支承されており、横断面が半円形状を呈する曲面のドア支点側端面２ａを有する押出し材製の端面材２Ａを有するとともに、内部にはグラスウール等の防音断熱材２１が充填されている。また、向って左端には、中間縦枠材１６の前面における略右側半分を覆って隠す薄板部２ｂが形成されている。
【００２６】
中間縦枠材１６には、玄関ドア２に装備される鍵５の出退シリンダ５ｓを挿脱自在な受止め機構Ｕが構成されている。受止め機構Ｕは、図２，４，５に示すように、中間縦枠材１６の右前側壁（ドア側の側壁部分の一例）１６ｂに形成される縦長の開口部２２と、この開口部２２に挿入自在な箱状カバー（トロカバー）２３と、箱状カバー２３の外側から中間縦枠材１６にボルト止めされる下地板２４と、下地板２４を覆う外装品である薄箱状の化粧カバー２５とから構成されている。中間縦枠材１６における開口部２２の上及び下で奥側（屋内側）に寄った箇所には、計２箇所のナット部１６ｎが形成されている。
【００２７】
箱状カバー２３は、出退シリンダ５ｓの挿入及び離脱が自在な右側面開放の箱部２３Ａと、その上下において折り返された上下一対の取付板部２３ａとを有したバネ板等の弾性を有した板材で形成されており、箱部２３Ａが中間縦枠材１６の開口部２２に丁度嵌り込むように寸法設定されている。下地板２４は、出退シリンダ５ｓの挿通が自在な開口部２４ａが形成された支持板部２４Ａと、箱状カバー側に寄った状態に位置する上下一対の取付板部２４ｂとを備えた板金材で形成されている。支持板部２４Ａの上下夫々にはナット部２４ｎが形成され、各取付板部２４ｂにはボルト挿通用孔２４ｈが形成されている。
【００２８】
化粧カバー２５は、出退シリンダ５ｓの挿入及び離脱が自在な開口部２５ｋを有した頂壁２５ａと、略台形を呈する左右の（玄関ドアに向って前後の）側壁２５ｂと、上下の傾斜壁２５ｃとを有した箱状のものに構成されている。頂壁２５ａの上下にはボルト挿通用の貫通孔２５ｈが形成されている。
【００２９】
箱状カバー２３、下地板２４、化粧カバー２５の三者は、図４及び５に示すように、先ず、下地板２４を、これと中間縦枠材１６の右前側壁１６ｂとの間に上下の取付板部２３ａを挟み込んだ状態としてから、一対の内ボルト（ナベビス）２６を挿通用孔２４ｈを通してナット部１６ｎに螺着することにより、箱状カバー２３と共に中間縦枠材１６に固定する。つまり、箱状カバー２３は、その上下一対の取付板部２３ａが弾性変形されることによる押圧力によって付勢支持されている。それから、一対の装着ボルト（皿ビス）２７を貫通孔２５ｈを通してナット部２４ｎに螺着することにより、箱状カバー２３及び下地板２４を覆う状態に化粧カバー２５を下地板２４に、即ち中間縦枠材１６に取付ける。
【００３０】
玄関ドア２が閉じられた状態で鍵５が施錠操作されると、出退シリンダ５ｓが、開口部２５ｋ及び開口部２４ａを通って箱状カバー２３の箱部２３Ａに入り込み（図４参照）、玄関ドア２が閉じ状態から開かないようにロックされる。玄関ドア２が開かれて、中間縦枠材１６が露出されても、その開口部２２は化粧カバー２５で見栄え良く覆われており、受止め機構Ｕとしての外観向上を果たしている。
【００３１】
次に、袖パネル３について説明する。袖パネル３は、図２〜図４に示すように、中空箱状のパネル材４の向って左端部における前端部の上下に、パネル支点Ｑを中心とする上下の支軸２８，２９を設けてあり、上支軸２８は上横枠材１４に、かつ、下横枠材１５に支持される下支軸２９はパネル材４に夫々枢支されている。下支軸２９は、下横枠材１５に圧入支持される下軸部２９Ａと、パネル材４に溶着固定される長角ブロック４０の支持穴４０ａに挿入自在な上軸部２９ｂと、これら両軸部２９ａ，２９ｂの間のフランジ部２９ｃとから成り、ワッシャ３０を介して下横枠材１５に固定されている。
【００３２】
上支軸２８は、上横枠材１４に溶着された角ブロック３６の穴３６ａに挿入されて枢支状態となる突出作用位置と、下方にスライド移動して上横枠材１４と高さ方向で干渉しない下降退出位置（図３の仮想線の位置参照）とに切換自在であり、かつ、自由状態では突出作用位置に維持されるように上支軸２８を上昇付勢する機構３１が装備されている。尚、図３等において、Ｆは床（マンションの廊下）であり、Ｗは外壁である。また、パネル材４には、中間縦枠材１６の前面の略左側半分を覆って隠す薄板部４ｂが形成されている。
【００３３】
上昇付勢機構３１は、パネル材４に固定される支持金具３７と、この支持金具３７に対して上支軸２８を上方に突出付勢する巻きバネ３８とから構成されている。支持金具３７は、上支軸２８の上下部分を回動自在及び上下スライド移動自在に支持する断面Ｃ字形状の軸受部３７ａと、これら上下の軸受部３７ａを一体連結する状態でパネル材４の内壁面に溶着固定される断面略Ｌ字形状の本体部３７Ａとから成る板金部材で構成されている。上支軸２８の下端部には、手指による上げ下げ操作用の操作片２８ａが側方突出支持され、その直上位置には上支軸２８の上昇移動を規制するためのＣ字型スナップリング３９が外装されている。そして、上支軸２８の上部には巻きバネ３８の上端受けとなる突起２８ｂが一体形成されており、このような構造により、通常の状態である自由状態では、上支軸２８の上端部が角ブロック３６に挿入される突出作用位置に付勢維持されている。そして、操作片２８ａの手指操作により、巻きバネ３８の付勢力に抗して上支軸２８を下降退出位置に下降スライド移動させることができる。
【００３４】
しかして、袖パネル３を枠体１に装着するには、袖パネル３を枠体１に対して開いた姿勢とした状態で、パネル材４の下部を下横枠材１５に植設支持されている下支軸２９に嵌め入れてから、上支軸２８を巻きバネ３１の付勢力に抗して手指で押し下げた状態としてパネル材４の上部を上横枠材１４の下方位置に移動し、その状態で手指の押し下げを開放して上支軸２８を角ブロック３６の穴３６ａに挿入し、上横枠材１４に支承させる、という操作手順になる。外す場合は上述の逆の操作（袖パネル３を開いた状態で上支軸２８を下げて上横枠材１４から外し、次いで、パネル材４を持上げて下支軸２９から抜き出す）を行えば良い。
【００３５】
また、袖パネル３を枠体１に対して閉じた状態、即ち作用姿勢に付勢維持する機構であるマグネットキャッチ３２が装備されている。マグネットキャッチ３２は、図２及び図４に示すように、パネル材４の右端部の上下中間位置において内装されたマグネット３２ａと、鋼板製の中間縦枠材１６の左張出し部１６ｃの前面に磁着自在な状態でパネル材４に外装される金属板材製のキャッチ３２ｂとで成り、マグネット３２ａの磁力を受けるキャッチ３２ｂが中間縦枠材１６に磁力吸引されることで袖パネル３の作用姿勢を付勢維持できるようになっている。
【００３６】
マグネットキャッチ３２の磁着力では、袖パネル３を強く引張れば開くことができるが、袖パネル３の開き揺動を不能として作用姿勢に係止維持するためのロック機構３３も装備されている。ロック機構３３は、図２及び図４に示すように、中間縦枠１６の左前側壁（パネル材側の側壁部分の一例）１６ｄとパネル材４の右側壁４ａとに亘って螺装される係止ボルト３４で構成されている。係止ボルト３４は、図４，５に示すように、鍵５の出退シリンダ５ｓを受止めるための開口部２２から中間縦枠材１６内に出し入れ自在とされており、受止め機構Ｕが装備された状態では、係止ボルト３４の操作が不可になることは勿論、外から見えないようにカバーされている。つまり、ロック機構３３は、受止め機構Ｕの存在を利用して係止ボルト（固定具の一例）３４の装脱が行える構造とされているので、中間縦枠材１６には専用のボルト挿通孔が不要となる利点がある。
【００３７】
以上のような構成による袖パネル付玄関ドアＡの取付け施工、及び袖パネル３の電気工事は次のように行う。先ず、袖パネル付玄関ドアＡのマンションへの取付け施工業者が、既に建物に一体的に取付けられている枠体１に対して、玄関ドア２及び袖パネル３を取付ける。袖パネル３の取付け方法は上記の通りである。尚、玄関ドア２の取付け方法の説明は割愛する。その後に現場に来た電気工事業者は、先ず、受止め機構Ｕを分解して係止ボルト３４を外してから、袖パネル３を開いてその背面４Ｈ側が露出するメンテナンス姿勢（図１の仮想線参照）に切換え、既にパネル材４に組付けられている機能設備である電気設備８，１０、即ち玄関灯８及びインターホン１０夫々のリード線（図示省略）を、建物側のリード線３５（図２参照）に結線する。結線作業が終わると、メンテナンス姿勢にある袖パネル３を閉じ揺動して作用姿勢に切換え、それから係止ボルト３４を開口部２２から操作して袖パネル３を作用姿勢にロック（係止維持）し、最後に受止め機構Ｕを再組付けするのである。
【００３８】
つまり、袖パネル３を揺動開閉自在に枠体１に支承する構造としたので、電気工事等を行うべく袖パネル背面４Ｈを露出させる際に、誤って建物外壁や袖パネル３自身を傷付けたり、袖パネル３を変形させるおそれが無いとともに、従来のように袖パネル３を支える必要も無いので、電気工事等の諸作業を便利で快適に行えるようになっている。袖パネル３を作用姿勢に付勢維持するマグネットキャッチ３２を設けてあるので、工事途中で他所に行く等の一旦袖パネル３を閉じる必要の有る場合には、直ぐに開けるよう袖パネル３を簡単に作用姿勢に付勢維持できて便利である。そして、袖パネル３を閉じた作用姿勢に係止維持させるロック機構３３を設けてあるので、不用意に袖パネル３が開いて他物に当たるとか、悪戯されるといったおそれ無く、作用姿勢を良好に維持できる効果がある。
【００３９】
また、ロック機構３３を構成する係止ボルト３４は、玄関ドア２の鍵５の一部として元々中間縦枠材１６に形成されている受止め機構Ｕ、即ち開口部２２を利用して組付ける構造としてあるので、新たに専用の孔等の取付手段が不要であり、コスト及び外観上で有利となる利点もある。この利点は、袖パネル３のパネル支点Ｑを玄関ドア２から遠い側となる左端部に設定することで可能となるものであり、それには玄関ドア２のドア支点Ｐが袖パネル３から遠い側となる右端部に設定されていることが前提条件である。
〔別実施形態〕
【００４０】
袖パネル３のパネル支点Ｑが、袖パネル３の右端部に設定される構造でも良く、その場合にはロック機構３３は袖パネル３の左側部分に作用する状態で設けるのが望ましいが、開口部２２からロックボルト（図示省略）を用いて袖パネル３を作用姿勢に係止維持させる構成を採ることも可能である。袖パネル３の形状が比較的上下寸法が短い場合には、パネル支点Ｑを袖パネル３の上端部又は下端部において左右向きのものとして設定することが可能である。また、玄関ドア２と袖パネル３とが、中間縦枠材１６やそれに取付けられる外装部材等の外観部材を介して左右方向で並ぶ構造のものにも本発明を適用可能である。
【００４１】
尚、実施例１では枠体１が建物の固定部に相当するが、例えば、建物（ログハウス等）の構造によっては、玄関ドア２や袖パネル３が枠体１を介さずに直接建物に取付けられる場合も考えられ、そのような場合には躯体を兼ねる壁（図３の壁Ｗに相当）自体が固定部になる。また、ドアとしては玄関ドアの他、ビル内における会社の出入口ドア、建物内における部屋のドア等、種々のドアに適用可能である。
【図面の簡単な説明】
【００４２】
【図１】袖パネル付玄関ドアの略正面図（実施例１）
【図２】袖パネルの支持構造を示す横断面図
【図３】袖パネルの揺動支持構造を示す縦断面図
【図４】ロック機構及び受止め機構の構造を示す拡大の横断面図
【図５】受止め機構の構成を示す分解斜視図
【図６】従来の袖パネル付玄関ドアの略正面図
【符号の説明】
【００４３】
１          建物の固定部、枠体
２          ドア
３          袖パネル
４          パネル材
４Ｈ        背面
５          ドアロック装置
５ｓ        出退シリンダ
８          玄関灯（電気設備）
１０        インターホン（電気設備）
１６        中間縦枠部
１６ｂ      ドア側の側壁部分
１６ｄ      パネル材側の側壁部分
１７        建物の躯体（固定部）
２２        開口部
３３        ロック機構
３４        固定具（ボルト）
Ａ          袖パネル付玄関ドア
Ｅ          機能設備
Ｐ          ドア支点
Ｑ          パネル支点
【図１】
2006022584.tif 000003
【図２】
2006022584.tif 000004
【図３】
2006022584.tif 000005
【図４】
2006022584.tif 000006
【図５】
2006022584.tif 000007
【図６】
2006022584.tif 000008